【事件の表示】
　平成１１年特許願第２８３０７１号「画像形成装置」拒絶査定不服審判事件〔平成１３年　４月２０日出願公開、特開２００１−１１１７５１〕について、次のとおり審決する。
【結　論】
　本件審判の請求は、成り立たない。
【理　由】
１．手続きの経緯
　本願は、平成１１年１０月４日に出願されたものであって、平成１３年３月２２日付け、及び平成１４年７月３日付けで手続補正がなされ、平成１５年６月１７日付けで拒絶査定がなされ、これに対し平成１５年７月８日に拒絶査定に対する審判請求がなされると共に手続補正がなされたものである。
　
２．平成１５年７月８日付けの手続補正についての補正却下の決定
［補正却下の決定の結論］
　平成１５年７月８日付けの手続補正を却下する。
［理由］
（１）補正後の本願発明
　平成１５年７月８日付けの本件補正により、特許請求の範囲の請求項１は、
　「【請求項１】文字および図形を表示する表示部と、複数の画像編集機能または処理機能の各機能毎に各機能の文字メッセージとそれぞれ所定数の異なる形状の図形を記憶するメモリと、前記各機能を選択する操作部と、制御部とを備え、各機能に対応する文字メッセージと図形を前記表示部に一覧で表示するとともに、前記表示部に一覧表示された複数の機能から前記操作部で選択された機能に対応した異なる形状の図形を前記メモリから読み出し、前記複数の機能が一覧表示された表示部で前記選択された機能のみをアニメーション表示することを特徴とする画像形成装置。」
　と補正された。
　前記補正は、補正前の請求項１に記載した発明を特定するために必要な事項について、「前記複数の機能が一覧表示された前記表示部で前記選択された機能のみを」との限定を付加するものであって、特許法第１７条の２第4項第2号の特許請求の範囲の減縮を目的とするものに該当する。
　
　そこで、本件補正後の前記請求項１に記載された発明（以下、「本願補正発明」という。）が特許出願の際独立して特許を受けることができるものであるか、すなわち平成１５年改正前特許法第１７条の２第５項において準用する同法第１２６条第４項の規定に適合するかどうかについて以下に検討する。
　
（２）引用例
　原査定の拒絶の理由に引用した特開平８−２９７４３９号公報（平成８年１１月１２日出願公開。以下、「引用例１」という。）には、図面と共に次の各記載がある。
　
（ア）「【００１８】図４のフローチャートに示すような、本発明における、複写装置１０の操作、および、複写装置の制御をもたらすためのマルチメディア式の操作者向け制御用インターフェイス２０の相互作用に関して、次に、特に図５ないし図１８を参照して説明する。図５ないし図１８は、マルチメディア式の操作者向け制御用インターフェイス２０のＣＲＴ２２に関して、様々な表示画面の例をそれぞれ示すものである。全般的に、各々の図中におけるＣＲＴの表示画面には、上部見出し部６０、メッセージ部７０、主表示領域９０が設けられている。上部見出し部６０は、操作者向け制御用インターフェイス２０の画面表示に特に関連した状態レベルに対する一般的情報を（時刻および日付と共に）与えている。主表示領域９０は、様々な英数表示、グラフィック情報、および表示映像データを表示し得る領域を提供している。さらに、主表示領域９０には、選択的に表示可能な通常の”キーパッド”部８０が設けられている。”キーパッド”部８０は、論理および制御ユニットＬＣＵに対して情報を入力するための何らかの英数”キー”、あるいは制御ボタンを表示する。メッセージ部７０は、操作者に対する適切な情報あるいは方向性を容易に表示することが可能な領域を提供している。」（段落【００１８】）
　
（イ）「【００１９】図５においては、マルチメディア式の操作者向け制御用インターフェイス２０のＣＲＴ２２の表示画面が示されており、図中、主表示領域９０には、複写装置１０に対する操作のマクロ命令に関する代表的なグラフィック命令ボタンが示されている。この画面は、複写装置が待機状態にあるとき（図４におけるフローチャートのステップ１０２を参照されたい）に表示される。操作のマクロ命令というのは、複写装置１０において操作可能な複写プロセスのオプションルーチンと関連して予めコンフィギュレーションされたプログラムである。この画面は、コピー操作のマクロ命令ボタンだけを含むオリエンテーション画面表示ということができる。上部見出し部６０は、この場合、この画面表示の状態レベルを”コピー機オリエンテーション”というように示している。このオリエンテーション画面表示を有していることにより、操作の初心者であっても、比較的複雑なコピー操作のプロセスルーチンを、複写装置に対する最小限接触するのみで開始することが可能となる。その場合にそのような操作を達成するための複雑な設定の仕方についての知識はほとんど必要とはされない。
【００２０】符号２０１−２０６で示されているグラフィックコピー操作マクロ命令ボタンは、動画からなるグラフィックを使用してはめ込まれたラベルを有している。動画は、簡潔なものであって、複写装置の待機時間中に１度につき１つずつが次々に動いて表示される。各々の動画は、グラフィック命令ボタンに触れられたときに実行されることになるプロセスオプションルーチンに対するコピー操作のマクロ命令をそれぞれ示している。図示例におけるコピー操作のマクロ命令には、以下のプロセスルーチンがある。すなわち、命令ボタン２０１に対しては、”片面、ページ順揃えなし”と表示され、命令ボタン２０２に対しては、”両面、ページ順揃えあり、ホッチキス止め”と表示され、命令ボタン２０３に対しては、”強調カラー、２部の原本”と表示され、命令ボタン２０４に対しては、”章単位”と表示され、命令ボタン２０５に対しては、”透明シート中への白紙差込”と表示され、命令ボタン２０６に対しては、”端部消去”と表示されている。
【００２１】それぞれのコピー操作マクロ命令に対してはめ込まれたラベル動画は、特定の対応するコピー操作プロセスルーチンを達成するための基本ステップを示すことになる。例えば、図６は、特定の命令ボタン２０３が目立つように強調された場合のマルチメディア式の操作者向け制御用インターフェイス２０の表示画面を示している。動画からなるグラフィックを使用して命令ボタン２０３中にはめ込まれたラベル内における１つのステップは、２部の原本を利用して強調カラー文書を複写するというプロセスルーチンにおいて要求される複数のステップを代表するために示されている。さらに、図７は、図６と同様に、マルチメディア式の操作者向け制御用インターフェイス２０の表示画面を示す図であって、他の特定の命令ボタン２０６が目立つように強調されている。動画からなるグラフィックを使用して命令ボタン２０６中にはめ込まれたラベル内における１つのステップは、複写物の端縁部を消去するというプロセスルーチンにおいて要求される複数のステップを代表するために示されている。
【００２２】オリエンテーション画面（図５ないし図７に図示）と協同して、メッセージ部７０により、操作者に対して、オリエンテーション画面からさらに詳細な操作レベル画面へと移動させる方法に関して必要な指示が与えられている。図５に示すように、メッセージ部７０内の指示は、いずれかの絵（ＣＲＴ表示画面上のコピー操作マクロ命令ボタン２０１−２０６）に触れるとそれぞれ選択されたコピー操作がなされることと、ＣＲＴ表示画面のその他の場所に触れると他のコピージョブに対するセットアップの開始が表示されることとである。
【００２３】 マクロ命令ボタン２０１−２０６の１つに触れられたときには、対応するコピー操作マクロ命令が実行される。このマクロ命令の実行は、典型的には、まずＣＲＴ２２の表示画面上に基本コピー画面（例えば、図１０に示すような表示画面）が表示されることにより、次に、論理および制御ユニットＬＣＵに複写装置を”コピー準備”状態とさせることにより、なされる。その後、操作者は、ジョブを開始する、あるいは、後述するようにさらに機能の選択または修正をすることができる。そして、操作者は、また、例えば”情報”命令ボタンとして示されている通常の”キーパッド”部８０の命令ボタンに触れることにより、この選択されたコピー操作マクロ命令に関する、さらなる情報すなわち操作の指示を得ることができる。情報命令ボタンに触れると、指示のためにおよび／または案内ならびに補助のために主表示領域９０において、映像データの表示および再生の準備がなされることになる。」（段落【００１９】〜【００２３】）
　
（ウ）「【００２４】図８および図９は、マルチメディア式の操作者向け制御用インターフェイス２０の表示画面を示す図であって、操作の指示および／または案内ならびに補助を与えるための映像データの自動的な表示および再生を示している。図８および図９に示すような映像データは、（図７に示す命令ボタン２０６に触れられることにより選択された）”端部消去”というコピー操作のマクロ命令に対して特に導出されるものである。このような映像データのセグメントは、音生成器６０およびスピーカ２８からの同期した音声に付随させることができる。また、セグメントは、メッセージ部７０内に表示された文章、あるいは囲み内説明文（図１４における説明文用枠７０’を参照されたい）と同様の書式内に表示された文章に付随させることができる。もちろん、巻戻し、早送り、開始、あるいは一時停止の制御手段（図１４における再生制御手段２１０を参照されたい）により、映像データを選択的に巻き戻して見る、あるいはスキップして見るための用意がなされている。複写装置の部分について、あるいは指示により参照された文書について操作者が学習する際に、音出力（あるいは音声出力）は、操作者が指示に従うことを可能とするという利点を有していることは、認識されるべきである。同時に、文章の表示は、複写装置が騒がしい場所とか逆に非常に静かな場所で操作されるときに、特に有効である。
【００２５】複写装置１０により通常達成されるコピー操作のプロセスルーチンは、動画からなるグラフィックによるフィードバックを使用して操作者に対して明瞭になされる。この場合、フィードバックには、インターフェイスとの対話に参加している操作者を補助するための同期した音響的効果が付けられている。複写装置１０が果たし得るある種の操作上の機能は、操作者に対して、プロセスルーチンが複写装置によりうまく作動されるように、論理および制御ユニットＬＣＵに対する交信のための詳細なパラメータを入力することを要求する。これらの機能は、浮遊型パネルあるいは対話枠として与えられている。例えば、図１０において、マルチメディア式の操作者向け制御用インターフェイス２０のＣＲＴ２２の表示画面は、標準機能のセットアップ画面を示しているが、この画面では、浮遊型パネル（符号２１２により示されている）として与えられている操作者が入力する詳細なパラメータを要求するような機能に対する動画からなるグラフィックによるフィードバック（必要に応じて同期した音響的効果が付けられる）の一例が示されている。」（段落【００２４】，【００２５】）
　
（エ）「【００２６】詳細には、図１０は、”コピー画質”調整と称される、特定の標準機能のセットアップ調整に関するものである。”コピー画質”調整においては、複写物の濃度が、原本書類上の情報の濃度よりも、より明るくしたり、より暗くしたりされる。コピー画質の調整に際しては、操作者は、主表示領域９０の”コピー画質調整”命令ボタン２１１に触れることになる。この命令ボタンに触れると、主表示領域において浮遊型パネル２１２が成長する。成長する動画には、適切な音出力が付けられても良い。この場合の音出力は、例えば、その音調をパネルの成長につれて高くして、操作者に対して、詳細な操作パラメータの入力が要求されていることを知らせるようなものとする。パネル２１２が完全に出来上がった後には、メッセージ部７０（あるいは、同期した音声出力）は、コピー画質の調整を浮遊型パネル２１２の所望の選択領域に触れることによりなし得ることを、操作者に対して知らせることになる。同時に、主表示領域９０には、原本情報書類のグラフィック表示（符号２１３により示されている）、および、それによってなされるべき複写物のグラフィック表示（符号２１４により示されている）が表示されている。操作者がパネル２１２からコピー画質を選んだときには、選択された領域は、目立つように強調され（例えば、図１０におけるパネル内の”５”で示されている領域のように）、そして、複写物のグラフィック表示２１４に対して、対応した調整がなされることになる。これにより、操作者は、選択によって引き起こされる変化を評価することになる。さらに、適切な音出力が、選択された調整に対応して設けられても良い。例えば、より明るい方のコピー画質（例えば、領域”２”）を与えるようにパネル２１２の領域が選択された場合には、高めに整えられた音調の音が与えられ、より暗い方のコピー画質（例えば、領域”７”）を与えるようにパネル２１２の領域が選択された場合には、低めに整えられた音調の音が与えられれば良い。
【００２７】図１０に示すような、動画からなるグラフィックによるフィードバックに加えて、マルチメディア式の操作者向け制御用インターフェイス２０は、複写装置１０の操作状態に関する詳細なフィードバックを与えている。上述したようにグラフィックを使用し、原本書類および複写物の状況は、符号２１５により示されている命令ボタンのセットから選択された様々なオプションがあるときに、それぞれグラフィック表示２１３、２１４により主表示領域９０に示されている。選択に対して利用可能なオプションとしては、可能性のある事柄の中から、原本書類と複写物との面に関する関係（片面から片面へ、片面から両面へ、等）、拡大率、ホッチキス止めオン／オフ、ページ順揃え、用紙排出口、供給紙選択が挙げられる。図１１においては、選択されたオプションに対する表示が、グラフィック動画あるいは強調により示されている。すなわち、原本書類および複写物の面特性が両面から両面であること、拡大率が１００％であること、ホッチキス止めがオンであること、複写物がページ順揃えされること、コピーがフィニッシャーへと排出されること、上段の用紙供給器が用紙供給のために選択されていることが示されている。命令ボタンのセット２１５に加えてグラフィックは、複写装置のグラフィック表示（符号２１６により示されている）を有しており、さらに操作者の注意を引くために強調されたある適切な操作者選択を備えている。図１１に示す例においては、上段の用紙供給用ホッパおよびフィニッシャーが特に選択されたことを示すために強調されている。」（段落【００２６】，【００２７】）
　
（カ）「【００２８】設定が変えられたときには、グラフィックが、操作者の選択した設定状態を反映するように変化することに注意することは重要である。これにより、操作者は、選択した設定変更の効果について即座にフィードバックを得ることができ、また、そのような変更が実際に望み通りのものであるかどうかを決めることができる。図１５および図１６は、マルチメディア式の操作者向け制御用インターフェイス２０のＣＲＴ２２の表示画面をそれぞれ示す図であって、標準機能のセットアップの例（特に、印刷されたタブの生成）を表示している画面を示しており、設定が変更された場合の設定状態を反映したグラフィックにおける変化をそれぞれ示している。タブが収納されている用紙引き出しのグラフィック表示において、ページ揃えがされている場合（図１５において符号２１７ａにより示されている）と、されていない場合（図１６において符号２１７ｂにより示されている）との違いが、主表示領域９０に即座に表示される。その結果、操作者は、ボタン２１８、２１９のいずれかに触れた場合に（選択されたボタンは、目立つよう強調されて示される）、選択されたそれぞれの配列モードにおいてタブ収納がどのような配列でなされるかを即座に理解する。また、複写物のページ順揃えがある場合とない場合とにおける排出位置の違いが、複写物が集配される部分のうち、どの部分が複写装置の画像２１６において強調されているか（図１５においてはフィニッシャー、図１６においてはソーター）によってグラフィック的に表示されている。ソーターを選択するにはボタン２２０に触れ、フィニッシャーを選択するにはボタン２２１に触れ、これらのいずれかにより（それぞれ選択されたボタンは、図１５および図１６のそれぞれにおいて強調して示されている）、適切な排出口が選択される。  」（段落【００２８】）
　
（キ）「【００２９】本発明によるマルチメディア式の操作者向け制御用インターフェイス２０の他の機能は、様々な装置の基礎状態に関する警告を表示するための操作者向け制御用インターフェイスの能力にある。これら警告は、特別の対話枠として出現するものであり、それらの本質として、操作者の注意を引きつける必要があるものである。対話枠は、動画の連続として出現しても良い。その場合において、対話枠は、適用される命令ボタンあるいは制御手段から”成長”するような感じに見える、あるいは、表示画面の一部分、例えば、表示画面の中心から”成長”しても良い。また、適切な音出力（例えば、アラームベル）が付随しても良い。図１２は、マルチメディア式の操作者向け制御用インターフェイス２０のＣＲＴ２２の表示画面の一例を示す図であって、複写装置の基礎状態に関する警告の例を含む様子が示されている。警告は、特別の対話枠２２２内に示されている。図示の例においては、特別の対話枠２２２内の警告は、黒色トナーのレベルが低いことに関するものである。この場合、メッセージ部７０は、さらに情報を得るためには、図１２において符号２２３で示されている情報に関する命令ボタンに触れれば良いことを知らせている。特別な対話枠中における状態警告の結果として、操作者には、複写装置１０内の状態を修正することを可能とする適切な警告および情報が与えられる。したがって、複写装置は、たいていの場合、特別に訓練された人材を必要とすることなく、十分な効率で操作されることになる。
【００３０】マルチメディア式の操作者向け制御用インターフェイス２０は、操作者の技術レベルに合わせていろいろなレベルで機能することができる。オンライン式の補助は、まず、説明文として与えられる。このような説明文は、中程度の技術レベルの操作者に対して適切である。例えば図１３に示すように、図１２に示されているようなＣＲＴ２２の表示画面の特別対話枠２２２内での装置基礎状態に関する警告に対応したトナーカートリッジの交換に際しては、トナーカートリッジ交換の文章的説明が、主表示領域９０に表示されている。ここで、メッセージ部７０は、操作者に対して、さらに深いレベルの補助に関する情報を得るための操作方法を知らせている。さらに深いレベルにおいては、例えば初心者である操作者向けに、映像データが、特定の補助シーケンスに対して主表示領域９０に与えられる。例えば、図１４には、トナーカートリッジの交換の映像データが示されている。映像データによる説明には、そのような映像データに対応する音による囲み内説明文（囲み内説明文７０’に表示されている）、および、選択的な再生制御手段２１０が含まれている。もちろん、熟練した操作者に対しては、すべてのインターフェイスからのフィードバックである動画グラフィック、文章、映像データは、操作者により確実に中断することができる。もちろん、操作者の技術レベルに合わせていろいろな指示（説明）レベルで機能するための同様のシーケンスが、操作者が詳細なパラメータを入力することが要求されるようないかなる特定の他の操作機能、装置の基礎状態に関する警告、等に対しても用意されていることが認められる。」（段落【００２９】，【００３０】）
　
　上記（ア）〜（キ）からみて、引用例１には次のような発明が記載されている。
　「操作者向け制御用インターフェイス２０のＣＲＴ２２の表示画面は、上部見出し部６０、メッセージ部７０、及び”キーパッド部”８０を有す主表示領域９０とに分割されており、前記上部見出し部６０には操作者向け制御用インターフェイス２０の画面表示に特に関連した状態レベルに対する一般的情報が表示され、前記メッセージ部７０には操作者に対する適切な情報あるいは方向性を容易にする情報が表示され、そして前記主表示部９０には複写装置１０に対する操作のマクロ命令に関する代表的なグラフィック命令ボタン及び該マクロ命令に関する文字メッセージが示されたオリエンテーション情報が表示されており、該表示部９０に表示されているグラフィックコピー操作マクロ命令ボタン２０１に対しては、”片面、ページ順揃えなし”である旨の文字メッセージの表示が付され、グラフィックコピー操作マクロ命令ボタン２０２に対しては、”両面、ページ順揃えあり、ホッチキス止め”である旨の文字メッセージの表示が付され、グラフィックコピー操作マクロ命令ボタン２０３に対しては、”強調カラー、２部の原本”である旨の文字メッセージの表示が付され、グラフィックコピー操作マクロ命令ボタン２０４に対しては、”章単位”である旨の文字メッセージの表示が付され、グラフィックコピー操作マクロ命令ボタン２０５に対しては、”透明シート中への白紙差込”である旨の文字メッセージの表示が付され、そしてグラフィックコピー操作マクロ命令ボタン２０６に対しては、”端部消去”である旨の文字メッセージの表示が付され、これらの命令ボタン２０１〜２０６は画面上に一覧表示されており、
　操作者が主表示部９０に一覧で表示されているグラフィックコピー操作マクロ命令ボタン２０１〜２０６の１つに触れると対応するコピー操作マクロ命令が実行されるようになっており、更に操作者が”キーパッド”部８０の命令ボタンに触れると選択されたグラフィックコピー操作マクロ命令に関するさらなる操作の指示をすることができるようになっており、
　操作者の指示及び命令の選択により実行される各プロセスルーチンや選択された各オプション等は、音響効果を伴う動画として操作者に即座にフィードバックされ、熟練しない操作者でも迅速に目的とする操作を実行することができる複写装置。」
　
（３）対比
　本願補正発明と引用例１に記載された発明とを対比すると、引用例１に記載された発明の「ＣＲＴ２２」、「”キーパッド部”８０、コピー操作マクロ命令ボタン２０１−２０６が表示されているタッチ励起式画面２４、及び主表示領域９０上の浮遊型パネル２１２」、「中央演算ユニット３２」、および「複写装置１０」は、それぞれ、本願補正発明の「表示部」、「操作部」、「制御部」、および「画像形成装置」に相当することは明かである。
　引用例１には、複数のコピー操作マクロ命令２０１−２０６（複数の機能に相当）と各コピー操作マクロ命令２０１−２０６対応する文字メッセージとをＣＲＴ２２の表示画面上に一覧で表示することが開示されている。（前記（イ）及び図５ないし図７参照。）
　引用例１には、次の(1)〜(4)に示されるように、操作者の指示又は命令の選択に応答して動画により操作者に確実にフィードバックを返すことが記載されている。
(1)「図６は、図５と同様に、マルチメディア式の操作者向け制御用インターフェイスの表示画面を示す図であって、複写操作のマクロ命令に関するグラフィック命令ボタンを示している。ここでは、ある特定の命令ボタンが目立つように強調されており、
その命令ボタンが選択されたときに開始されるコピーのマクロ命令に対応した動画
他の命令ボタンが選択されたときに開始されるコピーのマクロ命令に対応した動画
(2)「
符号２０１−２０６で示されているグラフィックコピー操作マクロ命令ボタンは、動画からなるグラフィックを使用してはめ込まれたラベルを有している。動画は、簡潔なものであって、複写装置の待機時間中に１度につき１つずつが次々に動いて表示される。
(3)「複写装置１０により通常達成される
コピー操作のプロセスルーチンは、動画からなるグラフィックによるフィードバックを使用して操作者に対して明瞭になされる
浮遊型パネル（符号２１２により示されている）として与えられている操作者が入力する詳細なパラメータを要求するような機能に対する動画からなるグラフィックによるフィードバック（
この命令ボタンに触れると、主表示領域において浮遊型パネル２１２が成長する。成長する動画には、適切な音出力がつけられても良い。
(4)「図１０に示すような、
動画からなるグラフィックによるフィードバックに加えて
複写装置１０の操作状態に関する詳細なフィードバックを与えている。
選択されたオプションに対する表示が、グラフィック動画あるいは強調により示されている。
　（なお、下線は審決において付した。）
　上記(1)〜(4)の記載に鑑みるに、引用例１に記載された発明は、操作者がＣＲＴ２２に一覧で表示された複数のコピー操作マクロ命令（複数の機能に相当）の１つを選択すると、その選択されたコピー操作マクロ命令に対応するグラフィック（図形に相当）を動画（アニメーションに相当）表示して操作者に応答を返していることは明かである。
　そうすると、本願補正発明と引用例１に記載された発明とは、
（一致点）
　「文字および図形を表示する表示部と、各機能を選択する操作部と、制御部とを備え、各機能に対応する文字メッセージと図形を前記表示部に一覧で表示するとともに、前記表示部に一覧表示された複数の機能から前記操作部で選択された機能に対応した異なる形状の図形を、アニメーション表示することを特徴とする画像形成装置。」
　である点で一致し、次の２点で相違する。
（相違点１）
　本願補正発明が、前記複数の機能が一覧で表示された表示部で前記選択された機能のみをアニメーション表示しているのに対し、引用例１に記載された発明は、複数の機能が一覧で表示された表示部で１つの機能を選択したときその機能を表すグラフィックを動画表示して操作者にその機能が選択されたことをフィードバックすなわち反映するものであるが、フィードバックされる動画表示が一覧で表示された表示部で選択された機能のみについて実行されることを明記しない点。
（相違点２）
　本願補正発明が、複数の画像編集機能または処理機能の各機能毎に各機能のメッセージとそれぞれ所定数の異なる形状の図形を記憶するメモリを備えているのに対し、引用例１に記載された発明は、複数の画像編集機能または処理機能の各機能毎に各機能のメッセージとそれぞれ所定数の異なる形状の図形を表示部に一覧で表示するものではあるが、複数の画像編集機能または処理機能の各機能毎に各機能のメッセージとそれぞれ所定数の異なる形状の図形を記憶するメモリを備えているとは明記しない点。
　
（４）判断
（４．１）前記相違点１について判断するに、
(i)先に述べたように、複数の機能のうちの１つを選択したとき、その機能を表す図形を動画（アニメーション）表示することは、引用例１に記載されているが、この技術は当業者には周知慣用されている技術事項でもある。この点については、例えば特開平８−１２３２５９号公報を参照。特に、「オプション装着操作ガイダンス表示」（段落【００５８】）、「トナー補給操作ガイダンス表示」（段落【００５９】）、「用紙補給操作ガイダンス表示」（段落【００６３】）、「第１原稿除去操作ガイダンス表示」（段落【００６６】）、「第２原稿除去操作ガイダンス表示」（段落【００７０】）、「第１排出用紙除去操作ガイダンス表示」（段落【００７４】）、「ステープル針補給操作ガイダンス表示」（段落【００７８】）、「ステープル復帰操作ガイダンス表示」（段落【００８２】）、「廃棄トナーボトル交換操作ガイダンス表示」（段落【００８４】）、「原稿載置状態調整操作ガイダンス表示」（段落【００８７】）、「原稿方向変更操作ガイダンス表示」（段落【００９０】）、「第２排出用紙除去操作ガイダンス表示」（段落【００９４】）、「表紙／合紙用紙補給操作ガイダンス表示」（段落【００９７】）、「ＲＤＨ原稿載置操作ガイダンス表示」（段落【０１００】）の項を参照。
また、装置の動作状況を動画で分かり易く表示することも周知である。この点については、例えば特開平７−２３７３３９号公報を参照。
(ii)また、先に述べたことではあるが、引用例１には、「
符号２０１−２０６で示されているグラフィックコピー操作マクロ命令ボタンは、動画からなるグラフィックを使用してはめ込まれたラベルを有している。動画は、簡潔なものであって、複写装置の待機時間中に１度につき１つずつが次々に動いて表示される。
命令ボタン２０１
命令ボタン２０２
命令ボタン２０３
命令ボタン２０４
命令ボタン２０５
命令ボタン２０６
との記載があり、この記載から見るに、引用例１には、複数の機能毎に各機能の文字メッセージとその機能を表す図形とを表示部に一覧で表示し、複写装置が待機中にサイクリックにではあるが、各機能を表す図形の１つずつを次々と動画表示することが記載されている。すなわち、複写装置が待機中にサイクリックにではあるが、表示画面上の選択された１領域のみを局所的に動画表示することが記載されている。
（なお、下線は、審決において付した。）
(iii)そして、表示画面を幾つかの領域に分割し、それぞれに異なる画像を表示し、表示画面中の一部の領域を指定したときその領域に表示された画像のみを強調表示、白黒反転表示、色変え表示、点滅表示し、他の領域に表示されている画像は元の表示形態のまま表示することは、画像処理の技術分野では通常行われている周知の技術事項である。
　以上の(i)〜(iii)に鑑みれば、上記(iii)に示される周知技術を引用例１に記載された発明に転用して、本願補正発明の如く複数の機能が一覧で表示された表示部で前記選択された機能のみをアニメーション表示するようにすることは、当業者が適宜なし得ることである。
　
（４．２）前記相違点２について判断するに、
　引用例１に記載された発明は、グラフィック生成器４０及び映像信号生成器５０で画像を生成しこれを動画としてＣＲＴ２２に表示すると共に該画像に文字メッセージ及び音声をも付すものであるから、明記はされていないが、グラフィック（図形）、文字メッセージ、そして音声信号を記憶するメモリを有することはこれを推測するに難くない。
　然るに、複数の異なる図形をメモリに記憶しておき、これらの異なる図形を次々と読み出して表示装置に文字メッセージ付きで表示し、あたかも表示された絵が動いているように見せることは、画像処理の技術分野、特に動画（アニメーション）の技術分野では、周知慣用されている技術常識である。この点については、例えば、特開平８−１２３２５９号公報（特に、段落番号【００４６】、【００４７】、【００５６】、【００６０】、【００６３】等の記載参照。）、及び特開平７−２３７３３９号公報参照（特に、第５頁左欄の段落番号【００３４】の記載参照。）。
　　
（５）むすび
　以上のとおり、平成１５年７月８日付けの手続補正による本願特許請求の範囲の請求項１に係る発明は、特許出願の際、独立して特許を受けることができるものではなく、平成１５年改正前特許法第１７条の２第５項で準用する同法第１２６条第４項の規定に違反するものであるから、前記手続補正は、特許法第１５９条第１項で準用する同法第５３条第１項の規定により却下すべくものである。
　よって、結論のとおり決定する。
　
３．本願発明について
　平成１５年７月８日付けの手続補正は、前記のとおり却下されるから、本願の特許請求の範囲の請求項１に係る発明（以下、「本願発明」という。）は、特許請求の範囲の請求項１に記載された次のとおりのものである。
　
　「【請求項１】文字および図形を表示する表示部と、複数の画像編集機能または処理機能の各機能毎に各機能の文字メッセージとそれぞれ所定数の異なる形状の図形を記憶するメモリと、前記各機能を選択する操作部と、制御部とを備え、各機能に対応する文字メッセージと図形を前記表示部に一覧で表示するとともに、前記表示部に一覧表示された複数の機能から前記操作部で選択された機能に対応した異なる形状の図形を前記メモリから読み出して前記表示部でアニメーション表示することを特徴とする画像形成装置。」
　
（１）引用例
　原査定の拒絶理由２引用された引用例、及びその記載事項は、前記「２．（２）」に記載したとおりである。
　
（２）対比・判断
　本願発明は、前記「２．」で検討した本願補正発明からその限定事項である
　「前記複数の機能が一覧表示された前記表示部で前記選択された機能のみを」
を省いたものである。
　そうすると、本願発明を特定する事項をすべて含み、さらに他の特定する事項を付加したものに相当する本願補正発明が、前記「２．（４）」に記載したとおり、引用例１に記載された発明及び周知技術とに基づいて当業者が容易に発明をすることができたものであるから、本願発明も、同様に理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであるから、特許法第２９条第２項の規定により特許を受けることができない。
　
　よって、結論のとおり審決する。